(57)【要約】【課題】多重アンテナシステムにおけるフィードバックデータ伝送方法の提供。【解決手段】多重アンテナシステムにおけるフィードバックデータの伝送方法は、ダウンリンクチャネル上にフィードバックデータの要請メッセージを受信し、要請メッセージは、アップリンクスケジューリング情報を含み、複数のサブバンド内でＭサブバンドの集合を選択してフィードバックデータを生成する。フィードバックデータは、周波数選択的ＰＭＩ、周波数均一ＰＭＩ、ベストバンドＣＱＩ及び全体バンドＣＱＩを含み、周波数選択的ＰＭＩは、Ｍ個の選択されたサブバンドに対するコードブックから選択されたプリコーディング行列のインデックスを、複数のサブバンドに対するコードブックから選択されたプリコーディング行列のインデックスを、ベストバンドＣＱＩは、Ｍ個の選択されたサブバンドに対するＣＱＩ値を、全体バンドＣＱＩは複数のサブバンドに対するＣＱＩ値を示す。【選択図】図９
2010534442.tif 000002
【特許請求の範囲】
【請求項１】
多重アンテナシステムにおけるフィードバックデータの伝送方法において、
ダウンリンクチャネル上にフィードバックデータの要請メッセージを受信し、前記要請メッセージは、アップリンクスケジューリング情報を含み、
複数のサブバンド内でＭ（Ｍ＝１）サブバンドの集合を選択して、
前記フィードバックデータを生成し、前記フィードバックデータは、周波数選択的ＰＭＩ（ｐｒｅｃｏｄｉｎｇ  ｍａｔｒｉｘ  ｉｎｄｉｃａｔｏｒ）、周波数均一ＰＭＩ、ベストバンドＣＱＩ（ｃｈａｎｎｅｌ  ｑｕａｌｉｔｙ  ｉｎｄｉｃａｔｏｒ）及び全体バンドＣＱＩを含み、前記周波数選択的ＰＭＩは、前記Ｍ個の選択されたサブバンドに対するコードブック（ｃｏｄｅｂｏｏｋ）から選択されたプリコーディング行列のインデックスを示して、前記周波数均一ＰＭＩは、前記複数のサブバンドに対する前記コードブックから選択されたプリコーディング行列のインデックスを示して、前記ベストバンドＣＱＩは、前記Ｍ個の選択されたサブバンドに対するＣＱＩ値を示して、前記全体バンドＣＱＩは、前記複数のサブバンドに対するＣＱＩ値を示して；及び、、
前記アップリンクスケジューリング情報に割り当てられたアップリンクチャネル上に前記フィードバックデータを伝送することを含む方法。
【請求項２】
前記フィードバックデータは、ＲＩ（ｒａｎｋ  ｉｎｄｉｃａｔｏｒ）をさらに含み、前記ＲＩは、使用することができる伝送階層の個数に対応して、前記ベストバンドＣＱＩ及び前記全体バンドＣＱＩは、各伝送階層に対して計算される請求項１に記載の方法。
【請求項３】
前記フィードバックデータは、前記Ｍ個の選択されたサブバンドの位置を表すビットマップをさらに含む請求項１に記載の方法。
【請求項４】
前記ダウンリンクチャネルは、ＰＤＣＣＨ（ｐｈｙｓｉｃａｌ  ｄｏｗｎｌｉｎｋ  ｃｏｎｔｒｏｌ  ｃｈａｎｎｅｌ）である請求項１に記載の方法。
【請求項５】
前記アップリンクチャネルは、ＰＵＳＣＨ（ｐｈｙｓｉｃａｌ  ｕｐｌｉｎｋ  ｓｈａｒｅｄ  ｃｈａｎｎｅｌ）である請求項１に記載の方法。
【請求項６】
前記ベストバンドＣＱＩは、前記全体バンドＣＱＩとの差分値を有する請求項１に記載の方法。
【請求項７】
前記アップリンクスケジューリング情報は、前記フィードバックデータの伝送を指示するインジケータ及びアップリンク無線資源割当を含む請求項１に記載の方法。
【請求項８】
前記Ｍ個のサブバンドの集合は、各サブバンドのＣＱＩに応じて前記複数のサブバンド内で選択される請求項１に記載の方法。
【請求項９】
多重アンテナシステムにおけるフィードバックデータの伝送方法において、
複数のサブバンド内でＭ（Ｍ＝１）サブバンドの集合を選択して、及び
アップリンク共有チャネル上にフィードバックデータを伝送することを含み、
前記フィードバックデータは、周波数選択的ＰＭＩ（ｐｒｅｃｏｄｉｎｇ  ｍａｔｒｉｘ  ｉｎｄｉｃａｔｏｒ）、周波数均一ＰＭＩ、ベストバンドＣＱＩ（ｃｈａｎｎｅｌ  ｑｕａｌｉｔｙ  ｉｎｄｉｃａｔｏｒ）及び全体バンドＣＱＩを含み、前記周波数選択的ＰＭＩは、前記Ｍ個の選択されたサブバンドに対するコードブック（ｃｏｄｅｂｏｏｋ）から選択されたプリコーディング行列のインデックスを示して、前記周波数均一ＰＭＩは、前記複数のサブバンドに対する前記コードブックから選択されたプリコーディング行列のインデックスを示して、前記ベストバンドＣＱＩは、前記Ｍ個の選択されたサブバンドに対するＣＱＩ値を示して、前記全体バンドＣＱＩは、前記複数のサブバンドに対するＣＱＩ値を示す方法。
【請求項１０】
ダウンリンク制御チャネル上にフィードバックデータの要請メッセージを受信することをさらに含み、前記要請メッセージは、アップリンクスケジューリング情報を含み、前記アップリンク共有チャネルは、前記アップリンクスケジューリング情報を用いて伝送される請求項９に記載の方法。
【請求項１１】
前記フィードバックデータは、前記複数のサブバンドに対するＲＩをさらに含む請求項９に記載の方法。
【請求項１２】
前記フィードバックデータは、前記Ｍ個の選択されたサブバンドの位置を表すビットマップをさらに含む請求項９に記載の方法。
【請求項１３】
前記ベストバンドＣＱＩは、前記全体バンドＣＱＩとの差分値を有する請求項９に記載の方法。
【発明の詳細な説明】
【技術分野】
【０００１】
本発明は、無線通信に関し、より詳しくは、多重アンテナシステムにおけるフィードバックデータを伝送する方法に関する。
【背景技術】
【０００２】
無線通信システムは、多様な種類の通信を提供するために広く使われている。例えば、音声及び／またはデータが無線通信システムによって提供されている。一般的な無線通信システムは、多重使用者に一つまたはその以上の共有資源を提供する。例えば、無線通信システム、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）及びＦＤＭＡ（Ｆｒｅｑｕｅｎｃｙ  Ｄｉｖｉｓｉｏｎ  Ｍｕｌｔｉｐｌｅ  Ａｃｃｅｓｓ）のような多様な多重接続技法を使用することができる。
【０００３】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）は、複数の直交副搬送波（Ｓｕｂｃａｒｒｉｅｒ）を用いる。ＯＦＤＭは、ＩＦＦＴ（ｉｎｖｅｒｓｅ  ｆａｓｔ  Ｆｏｕｒｉｅｒ  Ｔｒａｎｓｆｏｒｍ）とＦＦＴ（ｆａｓｔ  Ｆｏｕｒｉｅｒ  Ｔｒａｎｓｆｏｒｍ）との間の直交性特性を用いる。伝送器は、ＩＦＦＴを遂行してデータを伝送する。受信機は、受信信号に対してＦＦＴを遂行して元来データを復元する。伝送器は、多重副搬送波を結合するためにＩＦＦＴを使用して、受信機は、多重副搬送波を分離するために、対応するＦＦＴを使用する。ＯＦＤＭによると、広帯域チャネルの周波数選択的フェーディング（ｆｒｅｑｕｅｎｃｙ  ｓｅｌｅｃｔｉｖｅ  ｆａｄｉｎｇ）環境で受信機の複雑度を低くして、副搬送波間の相異なるチャネル特性を活用して周波数領域における選択的スケジューリングなどを介して周波数効率（Ｓｐｅｃｔｒａｌ  ｅｆｆｉｃｉｅｎｃｙ）を高めることができる。ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）は、ＯＦＤＭに基づいた多重接続方式である。ＯＦＤＭＡによると、多重使用者に相異なる副搬送波を割り当てることによって無線資源の効率性を高めることができる。
【０００４】
一方、最近、無線通信システムの性能と通信用量を極大化するために多重入出力（Ｍｕｌｔｉｐｌｅ  Ｉｎｐｕｔ  Ｍｕｌｔｉｐｌｅ  Ｏｕｔｐｕｔ；ＭＩＭＯ）システムが注目を浴びている。ＭＩＭＯ技術は、いままで一つの送信アンテナと一つの受信アンテナを使用したことから発展して、多重送信アンテナと多重受信アンテナを採択して送受信データ伝送効率を向上させることができる方法である。ＭＩＭＯシステムを多重アンテナ（Ｍｕｌｔｉｐｌｅ  ａｎｔｅｎｎａ）システムともいう。ＭＩＭＯ技術は、一つの全体メッセージを受信するために単一アンテナ経路に依存せずに複数のアンテナで受信された断片的なデータセグメントを一ケ所集めて完成する技術を応用したことである。その結果、特定範囲でデータ伝送速度を向上させる、或いは特定データ伝送速度に対してシステム範囲を増加させることができる。
【０００５】
以下、ダウンリンク（ｄｏｗｎｌｉｎｋ）は基地局から端末への伝送を意味して、アップリンク（ｕｐｌｉｎｋ）は端末から基地局への伝送を意味する。
【０００６】
無線通信システムにおいて、一般的に、基地局は、アップリンク及びダウンリンクの無線資源をスケジューリングする。アップリンク及びダウンリンクの無線資源には使用者データまたは制御信号が載せる。使用者データが載せるチャネルをデータチャネルといい、制御信号が載せるチャネルを制御チャネルという。
【０００７】
端末は、基地局の無線資源スケジューリングのためにフィードバックデータを基地局に報告する。多重アンテナシステムにおいて、フィードバックデータにはチャネル品質情報（Ｃｈａｎｎｅｌ  ｑｕａｌｉｔｙ  ｉｎｄｉｃａｔｏｒ；ＣＱＩ）、ランク情報（Ｒａｎｋ  Ｉｎｄｉｃａｔｏｒ；ＲＩ）、プリコーディング行列情報（Ｐｒｅｃｏｄｉｎｇ  ｍａｔｒｉｘ  ｉｎｄｉｃａｔｏｒ；ＰＭＩ）などが含まれる。端末は、ＣＱＩ、ＲＩ、ＰＭＩなどのフィードバックデータを基地局に伝送して、基地局は、複数の端末から受信されるフィードバックデータに応じてアップリンク及びダウンリンク無線資源をスケジューリングする。全体周波数帯域は、複数のサブバンドに分けられて、基地局は、サブバンド別に無線資源をスケジューリングすることができる。端末が全てのサブバンドの各々のＣＱＩ及びＰＭＩを求めて基地局に報告するのが基地局の無線資源スケジューリングの側面から最も効果的である。然しながら、全てのサブバンドのＣＱＩ及びＰＭＩを伝送するのは、限定された無線資源で相当大きいオーバーヘッド（ｏｖｅｒｈｅａｄ）を誘発する。
【０００８】
多重アンテナシステムにおいて、ＣＱＩ及びＰＭＩを效率的に伝送することができる方法が要求される。
【発明の概要】
【発明が解決しようとする課題】
【０００９】
本発明が解決しようとする技術的課題は、多重アンテナシステムにおけるフィードバックデータの伝送方法を提供することである。
【課題を解決するための手段】
【００１０】
一態様において、多重アンテナシステムにおけるフィードバックデータの伝送方法は、ダウンリンクチャネル上にフィードバックデータの要請メッセージを受信し、前記要請メッセージは、アップリンクスケジューリング情報を含み、複数のサブバンド内でＭ（Ｍ＝１）サブバンドの集合を選択して、前記フィードバックデータを生成し、前記フィードバックデータは、周波数選択的ＰＭＩ（ｐｒｅｃｏｄｉｎｇ  ｍａｔｒｉｘ  ｉｎｄｉｃａｔｏｒ）、周波数均一ＰＭＩ、ベストバンドＣＱＩ（ｃｈａｎｎｅｌ  ｑｕａｌｉｔｙ  ｉｎｄｉｃａｔｏｒ）及び全体バンドＣＱＩを含み、前記周波数選択的ＰＭＩは、前記Ｍ個の選択されたサブバンドに対するコードブック（ｃｏｄｅｂｏｏｋ）から選択されたプリコーディング行列のインデックスを示して、前記周波数均一ＰＭＩは、前記複数のサブバンドに対する前記コードブックから選択されたプリコーディング行列のインデックスを示して、前記ベストバンドＣＱＩは、前記Ｍ個の選択されたサブバンドに対するＣＱＩ値を示して、前記全体バンドＣＱＩは、前記複数のサブバンドに対するＣＱＩ値を示して、及び前記アップリンクスケジューリング情報に割り当てられたアップリンクチャネル上に前記フィードバックデータを伝送することを含む。
【００１１】
他の態様において、多重アンテナシステムにおけるフィードバックデータの伝送方法は、複数のサブバンド内でＭ（Ｍ＝１）サブバンドの集合を選択して、及びアップリンク共有チャネル上にフィードバックデータを伝送することを含み、前記フィードバックデータは、周波数選択的ＰＭＩ（ｐｒｅｃｏｄｉｎｇ  ｍａｔｒｉｘ  ｉｎｄｉｃａｔｏｒ）、周波数均一ＰＭＩ、ベストバンドＣＱＩ（ｃｈａｎｎｅｌ  ｑｕａｌｉｔｙ  ｉｎｄｉｃａｔｏｒ）及び全体バンドＣＱＩを含み、前記周波数選択的ＰＭＩは、前記Ｍ個の選択されたサブバンドに対するコードブック（ｃｏｄｅｂｏｏｋ）から選択されたプリコーディング行列のインデックスを示して、前記周波数均一ＰＭＩは、前記複数のサブバンドに対する前記コードブックから選択されたプリコーディング行列のインデックスを示して、前記ベストバンドＣＱＩは、前記Ｍ個の選択されたサブバンドに対するＣＱＩ値を示して、前記全体バンドＣＱＩは、前記複数のサブバンドに対するＣＱＩ値を示す。
【発明の効果】
【００１２】
本発明によると、フィードバックデータの伝送にともなうオーバーヘッドが減り、多重アンテナシステムにおいて無線資源スケジューリングが效率的に行われるようにする。
【図面の簡単な説明】
【００１３】
【図１】無線通信システムを示すブロック図である。
【図２】多重アンテナを有する送信機を示すブロック図である。
【図３】多重アンテナを有する受信機を示すブロック図である。
【図４】本発明の一実施例に係る無線資源のグラニュラリティ（ｇｒａｎｕｌａｒｉｔｙ）を示す例示図である。
【図５】ＣＱＩ及びＰＭＩを伝送する一例を示す例示図である。
【図６】ＣＱＩ及びＰＭＩを伝送する他の例を示す例示図である。
【図７】ＣＱＩ及びＰＭＩを伝送する他の例を示す例示図である。
【図８】本発明の一実施例に係るフィードバックデータの生成方法を示す例示図である。
【図９】本発明の他の実施例に係るフィードバックデータの生成方法を示す例示図である。
【図１０】本発明の一実施例に係るフィードバックデータの伝送方法を示す例示図である。
【図１１】本発明の他の実施例に係るフィードバックデータの伝送方法を示す例示図である。
【図１２】本発明の他の実施例に係るフィードバックデータの伝送方法を示す例示図である。
【図１３】本発明の他の実施例に係るフィードバックデータの伝送方法を示す例示図である。
【図１４】本発明の他の実施例に係るフィードバックデータの伝送方法を示す例示図である。
【図１５】本発明の他の実施例に係るフィードバックデータの伝送方法を示す例示図である。
【図１６】本発明の他の実施例に係るフィードバックデータの伝送方法を示す例示図である。
【図１７】本発明の他の実施例に係るフィードバックデータの伝送方法を示す例示図である。
【図１８】本発明の他の実施例に係るフィードバックデータの伝送方法を示す例示図である。
【図１９】本発明の他の実施例に係るフィードバックデータの伝送方法を示す例示図である。
【図２０】本発明の他の実施例に係るフィードバックデータの伝送方法を示す例示図である。
【図２１】本発明の他の実施例に係るフィードバックデータの伝送方法を示す例示図である。
【図２２】本発明の他の実施例に係るフィードバックデータの伝送方法を示す例示図である。
【図２３】本発明の他の実施例に係るフィードバックデータの伝送方法を示す例示図である。
【図２４】本発明の他の実施例に係るフィードバックデータの伝送方法を示す例示図である。
【図２５】本発明の他の実施例に係るフィードバックデータの伝送方法を示す例示図である。
【図２６】本発明の他の実施例に係るフィードバックデータの伝送方法を示す例示図である。
【図２７】本発明の他の実施例に係るフィードバックデータの伝送方法を示す例示図である。
【図２８】アップリンクＰＭＩの伝送にともなうデータ効率（ｅｆｆｉｃｉｅｎｃｙ  ｒａｔｉｏ）の一例を示すグラフである。
【図２９】アップリンクＰＭＩの伝送にともなうデータ効率（ｅｆｆｉｃｉｅｎｃｙ  ｒａｔｉｏ）の他の例を示すグラフである。
【図３０】本発明の一実施例に係るフィードバックデータの伝送過程を示すフローチャートである。
【図３１】本発明の一実施例に係るフィードバックデータのエラー如何に従ってＰＭＩを選択する方法を示すフローチャートである。
【発明を実施するための形態】
【００１４】
図１は、無線通信システムを示すブロック図である。無線通信システムは、音声、パケットデータなどのような多様な通信サービスを提供するために広く配置される。
【００１５】
図１を参照すると、無線通信システムは、端末（１０；Ｕｓｅｒ  Ｅｑｕｉｐｍｅｎｔ、ＵＥ）及び基地局（２０；Ｂａｓｅ  Ｓｔａｔｉｏｎ、ＢＳ）を含む。端末（１０）は、固定される、或いは移動性を有することができ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）等、他の用語と呼ばれることができる。基地局（２０）は、一般的に端末（１０）と通信する固定された地点（ｆｉｘｅｄ  ｓｔａｔｉｏｎ）をいい、ノードＢ（Ｎｏｄｅ−Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語と呼ばれることができる。一つの基地局（２０）には一つ以上のセルが存在できる。
【００１６】
無線通信システムに適用される多重接続技法には制限がない。ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）及びＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）のような多様な多重接続技法を使用することができる。説明を明確にするために、以下、ＯＦＤＭＡ基盤の無線通信システムに対して説明する。
【００１７】
無線通信システムは、多重アンテナ（ｍｕｌｔｉｐｌｅ  ａｎｔｅｎｎａ）システムであってもよい。多重アンテナシステムは、多重入出力（ｍｕｌｔｉｐｌｅ−ｉｎｐｕｔ  ｍｕｌｔｉｐｌｅ−ｏｕｔｐｕｔ；ＭＩＭＯ）システムであってもよい。または、多重アンテナシステムは、多重入力シングル出力（ｍｕｌｔｉｐｌｅ−ｉｎｐｕｔ  ｓｉｎｇｌｅ−ｏｕｔｐｕｔ；ＭＩＳＯ）システムまたはシングル入力多重出力（Ｓｉｎｇｌｅ−ｉｎｐｕｔ  ｍｕｌｔｉｐｌｅ−ｏｕｔｐｕｔ；ＳＩＭＯ）システムであってもよい。ＭＩＭＯシステムは、複数の送信アンテナと複数の受信アンテナを使用する。ＭＩＳＯシステムは、複数の送信アンテナと一つの受信アンテナを使用する。ＳＩＭＯシステムは、一つの送信アンテナと複数の受信アンテナを使用する。
【００１８】
図２は、多重アンテナを有する送信機を示すブロック図である。
【００１９】
図２を参照すると、送信機（１００）は、スケジューラ（１１０）、チャネルエンコーダ（１２０−１，．．．，１２０−Ｋ）、マッパ（１３０−１，．．．，１３０−Ｋ）、前処理器（１４０−１，．．．，１４０−Ｋ）及び多重化器（１５０）を含む。送信機（１００）は、Ｎｔ（Ｎｔ＞１）個の送信アンテナ（１９０−１，．．．，１９０−Ｎｔ）を含む。送信機（１００）は、ダウンリンクにおいて基地局の一部分であってもよい。送信機（１００）は、アップリンクにおいて端末の一部分であってもよい。
【００２０】
スケジューラ（１１０）は、Ｎ名の使用者からデータの入力を受けて、同時に伝送されるＫ個のストリームを出力する。スケジューラ（１１０）は、各使用者のチャネル情報を用いて可用できる無線資源に伝送する使用者と伝送率を決定する。スケジューラ（１１０）は、フィードバックデータからチャネル品質情報（Ｃｈａｎｎｅｌｑｕａｌｉｔｙｉｎｆｏｒｍａｔｉｏｎ；ＣＱＩ）を抽出し、コード率（ｃｏｄｅ  ｒａｔｅ）、変調及びコーディング方式（ｍｏｄｕｌａｔｉｏｎ  ａｎｄ  ｃｏｄｉｎｇ  ｓｃｈｅｍｅ；ＭＣＳ）などを選択する。チャネル品質情報には送受信機間に信号対雑音比（Ｓｉｇｎａｌ  ｔｏ  ｎｏｉｓｅ  ｒａｔｉｏ；ＳＮＲ）、信号対干渉と雑音比（Ｓｉｇｎａｌ  ｔｏ  ｉｎｔｅｒｆｅｒｅｎｃｅ  ａｎｄ  ｎｏｉｓｅ  ｒａｔｉｏ；ＳＩＮＲ）などがある。
【００２１】
スケジューラが割り当てる可用無線資源は、無線通信システムにおけるデータ伝送時に使われる無線資源を意味する。例えば、ＴＤＭＡ（Ｔｉｍｅ  Ｄｉｖｉｓｉｏｎ  Ｍｕｌｔｉｐｌｅ  Ａｃｃｅｓｓ）システムでは各時間スロット（ｔｉｍｅ  ｓｌｏｔ）が資源であり、ＣＤＭＡ（Ｃｏｄｅ  Ｄｉｖｉｓｉｏｎ  Ｍｕｌｔｉｐｌｅ  Ａｃｃｅｓｓ）システムでは各コードと時間スロットが資源であり、ＯＦＤＭＡ（Ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システムでは各副搬送波と時間スロットが資源である。同じセル（Ｃｅｌｌ）またはセクタ（Ｓｅｃｔｏｒ）内で他の使用者に干渉を起こさないために、各資源は、時間、コードまたは周波数領域で直交してもよい。
【００２２】
チャネルエンコーダ（１２０−１，．．．，１２０−Ｋ）は、入力されるストリームを、決められたコーディング方式に従ってエンコーディングして符号化されたデータ（ｃｏｄｅｄ  ｄａｔａ）を形成する。マッパ（１３０−１，．．．，１３０−Ｋ）は、符号化されたデータを信号配置（Ｓｉｇｎａｌ  ｃｏｎｓｔｅｌｌａｔｉｏｎ）上の位置を表現するシンボルにマッピングする。これをデータシンボルという。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）またはｍ−ＱＡＭ（Ｍ−Ｑｕａｄｒａｔｕｒｅ  Ａｍｐｌｉｔｕｄｅ  Ｍｏｄｕｌａｔｉｏｎ）であってもよい。例えば、ｍ−ＰＳＫは、ＢＰＳＫ、ＱＰＳＫまたは８−ＰＳＫであってもよい。ｍ−ＱＡＭは、１６−ＱＡＭ、６４−ＱＡＭまたは２５６−ＱＡＭであってもよい。
【００２３】
前処理器（１４０−１，．．．，１４０−Ｋ）は、入力されるデータシンボル（ｕ１，．．．，ｕＫ）に対してプリコーディング（Ｐｒｅｃｏｄｉｎｇ）を遂行して入力シンボル（ｘ１，．．．，ｘＫ）を生成する。プリコーディングは、伝送するデータシンボルに前処理を遂行する技法であり、このようなプリコーディング技法の中ではデータシンボルに加重値ベクトルまたはプリコーディング行列などを適用して入力シンボルを生成するＲＢＦ（ｒａｎｄｏｍ  ｂｅａｍ  ｆｏｒｍｉｎｇ）、ＺＦＢＦ（ｚｅｒｏ  ｆｏｒｃｉｎｇ  ｂｅａｍ  ｆｏｒｍｉｎｇ）などがある。
【００２４】
多重化器（１５０）は、入力シンボル（ｘ１，．．．，ｘＫ）を適切な副搬送波に割り当てて、使用者に応じて多重化する。多重化されたシンボルは変調されて送信アンテナ（１９０−１，．．．，１９０−Ｎｔ）を介して送信される。
【００２５】
図３は、多重アンテナを有する受信機を示すブロック図である。
【００２６】
図３を参照すると、受信機（２００）は、復調器（２１０）、チャネル推定器（２２０）、後処理器（２３０）、デマッパ（２４０）、チャネルデコーダ（２５０）、及び制御器（２６０）を含む。受信機（２００）は、Ｎｒ（Ｎｒ＞１）個の受信アンテナ（２９０−１，．．．，２９０−Ｎｒ）を含む。受信機（２００）は、ダウンリンクにおいて端末の一部分であってもよい。受信機（２００）は、アップリンクにおいて基地局の一部分であってもよい。
【００２７】
受信アンテナ（２９０−１，．．．，２９０−Ｎｒ）から受信された信号は復調器（２１０）によって復調される。チャネル推定器（２２０）はチャネルを推定して、後処理器（２３０）は前処理器（１４０−１，．．．，１４０−Ｋ）に対応する後処理を遂行する。デマッパ（２４０）は、入力シンボルを符号化されたデータにデマッピングし、チャネルデコーダ（２５０）は、符号化されたデータをデコーディングして元来データを復元する。制御器（２６０）は、チャネル状態情報（ＣＳＩ）またはチャネル品質情報（ＣＱＩ）または使用者優先順位情報などを含むフィードバックデータを送信機に帰還させる。
【００２８】
図４は、本発明の一実施例に係る無線資源のグラニュラリティ（ｇｒａｎｕｌａｒｉｔｙ）を示す例示図である。
【００２９】
図４を参照すると、使用者データ及び制御信号は、複数の資源ブロック（Ｒｅｓｏｕｒｃｅ  ＢｌｏｃＫ）を含むフレームに載せて伝送される。フレームは、時間軸において複数のＯＦＤＭＡシンボルと周波数軸において複数の資源ブロックを含むことができる。資源ブロックは、無線資源割当の基本単位であり、隣接する複数の副搬送波（ｓｕｂｃａｒｒｉｅｒ）を含む。資源ブロックは、１２個の副搬送波を含むことができる。副搬送波は、データ副搬送波とパイロット副搬送波を含む。データ副搬送波には使用者データまたは制御信号が載せることができる。パイロット副搬送波には多重アンテナシステムにおいて各アンテナ別共用パイロット（ｃｏｍｍｏｎ  ｐｉｌｏｔ）が載せることができる。資源ブロックにおいてデータ副搬送波とパイロット副搬送波の配列は多様な構成に配列されることができる。
【００３０】
無線資源は、周波数領域（ｆｒｅｑｕｅｎｃｙ  ｄｏｍａｉｎ）において、全体バンド（Ｗｈｏｌｅ  Ｂａｎｄ；ＷＢ）、ＰＭＩバンド（ＰＭＩ−Ｂａｎｄ；ＰＢ）、サブバンド（Ｓｕｂ−Ｂａｎｄ；ＳＢ）等、多様なグラニュラリティ（ｇｒａｎｕｌａｒｉｔｙ）に分かれることができる。サブバンドは、少なくとも一つの使用者データまたは制御信号が載せることができる周波数帯域を表す。サブバンドは、少なくとも一つの資源ブロックを含むことができる。ＰＢは、少なくとも一つのサブバンドを含む。ＰＢは、同一または類似のＰＭＩを有するサブバンドを含む。全体バンドは、全体周波数帯域を表す。これらの大きさをお互いに比較すると、ＳＢ≦ＰＢ≦ＷＢになることがある。
【００３１】
一方、フィードバックデータの報告方式に従って無線資源は、周波数領域においてベストバンド（Ｂｅｓｔ  Ｂａｎｄ；ＢＢ）と残りのバンド（Ｒｅｓｉｄｕａｌ  Ｂａｎｄ；ＲＢ）に区分されることができる。ベストバンドは、複数のサブバンドから選択される特定サブバンドを意味する。残りのバンド（ＲＢ）は、全体バンドからベストバンドを除いた残りのサブバンドを意味する。例えば、ＣＱＩをＢｅｓｔ−Ｍ方式に伝送する場合（Ｍ＝２）を仮定する時、ＣＱＩは、サブバンド別に求められ、サブバンドの各々のＣＱＩのうち、最も大きいＣＱＩ値を有するサブバンドを２個選択する。選択された２個のサブバンドがベストバンドになり、その他のサブバンドが残りのバンドになる。２個のベストバンドのＣＱＩはそのまま伝送されて、残りのバンドのＣＱＩは残りのバンドに属する全てのサブバンドのＣＱＩを平均して一つの平均値に伝送されることができる。または、２個のベストバンドのＣＱＩは、平均されて平均値に伝送され、残りのバンドのＣＱＩは、残りのバンドに属する全てのサブバンドのＣＱＩを平均して平均値に伝送されることができる。
【００３２】
Ｂｅｓｔ−Ｍ方式は、複数のサブバンドから特定サブバンドをＭ個選択する方式である。Ｂｅｓｔ−Ｍ方式において、端末は、自分が選好するサブバンドを選択し、基地局に選択されたサブバンドを報告することができる。Ｂｅｓｔ−Ｍ方式において、選択されたサブバンドのＣＱＩは、元来の値のそのまま、または平均値で表現されることができる。残りのバンドに対しては残りのバンドの平均ＣＱＩまたは全体バンドの平均ＣＱＩなどで表現されることができる。
【００３３】
前述したフレームの構成及び無線資源のグラニュラリティ（ｇｒａｎｕｌａｒｉｔｙ）は、例示に過ぎず、各バンドの大きさ及び数は多様に変形されて適用されることができる。
【００３４】
このように、多様なグラニュラリティを適用するのは、フィードバックデータによるオーバーヘッドを減らし、フィードバックデータを效率的に伝送するためである。例えば、ＣＱＩは、複数の端末に良いサービス品質（Ｑｕａｌｉｔｙ  ｏｆ  Ｓｅｒｖｉｃｅ；ＱｏＳ）のサービスを提供するためにサブバンド別に求めて伝送するのが効果的である。然しながら、全てのサブバンドのＣＱＩを伝送する場合にはオーバーヘッドが大きくなるようになるため、端末は、ＣＱＩの良い有するいくつかのサブバンドをベストバンドとして指定して元来のＣＱＩを伝送して、残りのバンドのＣＱＩは、平均値だけを伝送する。
【００３５】
ＰＭＩは、使用者データの前処理と後処理に必要な情報であり、サブバンド、ＰＭＩバンドまたは全体バンドに対して求められることができる。ＣＱＩは、ＰＭＩに基づいて計算されて量子化（ｑｕａｎｔｉｚａｔｉｏｎ）されたものであるため、正確なＣＱＩの報告のために、全てのサブバンドに対するＰＭＩが伝送されなければならない。然しながら、全てのサブバンドの各々のＰＭＩ伝送によるオーバーヘッドが大きくなる。ＰＭＩバンドに対するＰＭＩを求めて伝送する場合にもＰＭＩバンドの大きさに従って不必要なオーバーヘッドが発生することができる。従って、ＣＱＩが伝送される方式に合わせてＰＭＩが求められて伝送されれば、不必要なオーバーヘッドを減らすことができ、また、正確なＣＱＩの報告が行われることができる。全体バンドに対して一つのＣＱＩ及び一つのＰＭＩが求めて伝送されることもできる。また、ＰＭＩバンド（ＰＢ）の大きさは、ベストバンドと同一であってもよく、または大きくてもよい。ベストバンドのＣＱＩと共にベストバンドに該当するＰＭＩバンドのＰＭＩが伝送されることができる。
【００３６】
ＲＩは、多重アンテナによって多重化されることができる各々の独立チャネルを表すものであり、全体バンド単位に求められて伝送されることができる。
【００３７】
以下、多重アンテナシステムにおけるフィードバックデータの伝送方法に対して説明する。
【００３８】
図５は、ＣＱＩ及びＰＭＩを伝送する一例を示す例示図である。図６は、ＣＱＩ及びＰＭＩを伝送する他の例を示す例示図である。図７は、ＣＱＩ及びＰＭＩを伝送する他の例を示す例示図である。
【００３９】
図５ないし図７を参照すると、全体周波数帯域が８個のサブバンドに分かれると仮定する。
【００４０】
図５において、ＣＱＩの周波数グラニュラリティ（Ｆｒｅｑｕｅｎｃｙ  Ｇｒａｎｕｌａｒｉｔｙ；ＦＧ）は、一つのサブバンドと決められ、ＰＭＩのＦＧは、全体バンドと決められる。フィードバックデータは、各サブバンドのＣＱＩ及び全体バンドのＰＭＩで構成されることができる。
【００４１】
図６において、ＣＱＩのＦＧは、一つのサブバンドと決められて、ＰＭＩのＦＧは、ＣＱＩのＦＧより大きいグラニュラリティと決められる。即ち、ＰＭＩ  ＦＧＮ×ＣＱＩ  ＦＧ（Ｎ＞１）の関係を有することができる。ＰＭＩ  ＦＧは、ＣＱＩ  ＦＧの倍数と決められることができる。例えば、ＣＱＩ  ＦＧに２個の資源ブロックが含まれる時、ＰＭＩ  ＦＧには４個、６個、…、Ｎ個の資源ブロックが含まれるように決めることができる。ここで、ｎは２の倍数である。ＰＭＩ  ＦＧがＣＱＩ  ＦＧの倍数と決められればＰＭＩに応じて決められるＣＱＩの計算が容易になり、ＰＭＩを容易に適用させることができる。フィードバックデータは、各サブバンドのＣＱＩ及びＰＭＩ  ＦＧのＰＭＩで構成されることができる。
【００４２】
図７において、ＣＱＩのＦＧは、一つのサブバンドと決められて、ＰＭＩのＦＧも一つのサブバンドと決められることができる。即ち、ＣＱＩ  ＦＧとＰＭＩ  ＦＧが同じ大きさと決められることができる。フィードバックデータは、各サブバンドのＣＱＩ及びＰＭＩで構成されることができる。ＣＱＩ  ＦＧとＰＭＩ  ＦＧが同じ大きさと決められる場合、ＣＱＩ報告の正確性は高まることができるが、伝送されるＣＱＩの数に従ってＰＭＩの数も増加するため、フィードバックデータによるオーバーヘッドが増加することができる。
【００４３】
一方、ＣＱＩを計算する方法には下記のような方法がある。
【００４４】
１．各サブバンド別ＰＭＩを適用してサブバンド別ＣＱＩを計算することができる。各サブバンド別ＰＭＩを周波数選択的ＰＭＩ（ｆｒｅｑｕｅｎｃｙ  ｓｅｌｅｃｔｉｖｅ  ＰＭＩ）といい、各サブバンド別ＣＱＩを周波数選択的ＣＱＩ（ｆｒｅｑｕｅｎｃｙ  ｓｅｌｅｃｔｉｖｅ  ＣＱＩ）という。
【００４５】
２．全体バンドに対するＰＭＩを適用してサブバンド別ＣＱＩを計算することができる。
【００４６】
３．Ｂｅｓｔ−Ｍ方式によって選択したベストバンドを除いた残りのバンドに対するＰＭＩを適用して残りのバンドに属するサブバンド別ＣＱＩを計算することができる。全体バンドに対するＰＭＩまたは残りのバンドに対するＰＭＩを周波数均一ＰＭＩ（ｆｒｅｑｕｅｎｃｙ  ｆｌａｔ  ＰＭＩ）という。
【００４７】
４．Ｂｅｓｔ−Ｍ方式によって選択したベストバンドには周波数選択的ＰＭＩを適用してベストバンドに該当する各サブバンドのＣＱＩを計算して、残りのバンドに属するサブバンドには周波数均一ＰＭＩを適用してサブバンド別ＣＱＩを計算することができる。
【００４８】
５．Ｂｅｓｔ−Ｍ方式において全体バンドに対する平均ＣＱＩは、ベストバンドを含むＣＱＩ値に計算されることができる。全体バンドまたは残りのバンドに対する平均ＣＱＩを周波数均一ＣＱＩ（ｆｒｅｑｕｅｎｃｙ  ｆｌａｔ  ＣＱＩ）という。
【００４９】
６．Ｂｅｓｔ−Ｍ方式において残りのバンドに対する平均ＣＱＩは、ベストバンドを除いたＣＱＩ値に計算されることができる。
【００５０】
７．Ｂｅｓｔ−Ｍ方式においてベストバンドのＣＱＩを全体バンドのＣＱＩ値と差分値で表して、残りのバンドと前記差分値によってＣＱＩ平均値を計算することができる。このＣＱＩ平均値は、残りのバンドまたは全体バンドに対するＣＱＩ平均値として使われることができる。
【００５１】
周波数選択的ＰＭＩを適用したＣＱＩを含んでＣＱＩが計算される時、平均ＣＱＩは、全般的に高まることができる。端末の数が少ない場合は、報告されるベストバンド以外の残りのバンドも端末に割り当てられることもでき、残りのバンドのＣＱＩが高い値と報告されるため、ＭＣＳを選択する時高いＭＣＳを選択することができ、これに伴い歩留まりを向上させることができる。
【００５２】
図８は、本発明の一実施例に係るフィードバックデータの生成方法を示す例示図である。
【００５３】
図８を参照すると、全体バンド（ＷＢ）は、複数のサブバンド（Ｓｕｂ−ｂａｎｄ；ＳＢ）に分かれることができ、端末は、サブバンドごとにＣＱＩを求めることができる。全体バンドは、７個のサブバンドを含み、６番目のサブバンドと７番目のサブバンドが７個のサブバンドから選択されるベストバンド（Ｂｅｓｔ  ｂａｎｄ；ＢＢ）と仮定する。即ち、Ｂｅｓｔ−Ｍ方式においてＣＱＩが高い順序に２個のサブバンドを選択する場合（Ｍ＝２）である。これは例示に過ぎず、数的に制限することではない。
【００５４】
フィードバックデータは、多様な種類の制御信号を含む。下記の表１は、フィードバックデータの類型に対する一例を表す。
【００５５】
【表１】
2010534442.tif 000003
表１において、‘ビットマップ’は、複数のサブバンドから選択したサブバンドを指定するインジケータ（ｉｎｄｉｃａｔｏｒ）である。即ち、Ｂｅｓｔ−Ｍ方式で選択されたＭ個のサブバンドをビットマップで指定することができる。例えば、７個のサブバンドを７ビットのビットマップで表すことができて、７個のサブバンドから選択された６番目のサブバンド及び７番目のサブバンドを‘０００００１１’のように指定することができる。Ｎ個のサブバンドからＮ個のベストバンドのＣＱＩを伝送する場合や、Ｂｅｓｔ−Ｍで全体バンドのＣＱＩが伝送される場合にはビットマップが伝送されないこともある。
【００５６】
‘ＲＩ’は、全体バンドに対する値であり、フィードバックデータに含まれてもよい。
【００５７】
‘ＣＱＩ’は、ベストバンドとして選択された各々のサブバンド、ベストバンドまたは残りのバンドに対する値であり、フィードバックデータに含まれてもよい。
【００５８】
‘ＰＭＩ’は、ベストバンドとして選択された各々のサブバンド、ベストバンドまたは残りのバンドに対する値であり、フィードバックデータに含まれてもよい。
【００５９】
‘ＣＱＩ’及び‘ＰＭＩ’は、同じグラニュラリティ（ｇｒａｎｕｌａｒｉｔｙ）であり、フィードバックデータに含まれると仮定する。Ｂｅｓｔ−Ｍ方式において、フィードバックデータは、ベストバンドのＣＱＩ（ＢＢ  ＣＱＩ）または残りのバンドのＣＱＩ（ＲＢ  ＣＱＩ）を含むことができる。フィードバックデータは、ベストバンドのＰＭＩ（ＢＢ  ＰＭＩ）または残りのバンドのＰＭＩ（ＲＢ  ＰＭＩ）を含むことができる。ベストバンドのＣＱＩは、ベストバンドに該当するサブバンドの各々のＣＱＩまたはベストバンドに対する一つの平均ＣＱＩになることができる。残りのバンドのＣＱＩは、残りのバンドに該当するサブバンドの平均ＣＱＩになることができる。ベストバンドのＰＭＩは、ベストバンドに該当するサブバンドの各々のＰＭＩまたはベストバンドに対する一つのＰＭＩになることができる。
【００６０】
類型‘Ａ’において、ＣＱＩは、第１のベストバンド（ＢＢ＃１）のＣＱＩ、第２のベストバンド（ＢＢ＃２）のＣＱＩ、及び残りのバンドのＣＱＩである。ＰＭＩは、第１のベストバンド（ＢＢ＃１）のＰＭＩ、第２のベストバンド（ＢＢ＃２）のＰＭＩ、及び残りのバンドのＰＭＩである。
【００６１】
類型‘Ｂ’において、ＣＱＩは、第１のベストバンド（ＢＢ＃１）と第２のベストバンド（ＢＢ＃２）との平均ＣＱＩ及びＲＢ  ＣＱＩである。ＰＭＩは、第１のベストバンド（ＢＢ＃１）のＰＭＩ、第２のベストバンド（ＢＢ＃２）のＰＭＩ、及び残りのバンドのＰＭＩである。
【００６２】
類型‘Ａ−１’において、ＣＱＩは、第１のベストバンド（ＢＢ＃１）のＣＱＩ、第２のベストバンド（ＢＢ＃２）のＣＱＩである。ＰＭＩは、第１のベストバンド（ＢＢ＃１）と第２のベストバンド（ＢＢ＃２）とに対する一つのＰＭＩ及び残りのバンドのＰＭＩである。
【００６３】
類型‘Ｂ−１’において、ＣＱＩは、第１のベストバンド（ＢＢ＃１）と第２のベストバンド（ＢＢ＃２）との平均ＣＱＩ及びＲＢ  ＣＱＩである。ＰＭＩは、第１のベストバンド（ＢＢ＃１）と第２のベストバンド（ＢＢ＃２）とに対する一つのＰＭＩ及び残りのバンドのＰＭＩである。
【００６４】
図９は、本発明の他の実施例に係るフィードバックデータの生成方法を示す例示図である。
【００６５】
図９を参照すると、全体バンド（ＷＢ）は、７個のサブバンド（ＳＢ）を含み、６番目のサブバンドと７番目のサブバンドが７個のサブバンドから選択されるベストバンド（Ｂｅｓｔ  ｂａｎｄ；ＢＢ）と仮定する。即ち、Ｂｅｓｔ−Ｍ方式において、ＣＱＩの高い２個のサブバンドを選択する場合（Ｍ＝２）である。
【００６６】
下記の表２は、フィードバックデータの類型に対する他の例を表す。
【００６７】
【表２】
2010534442.tif 000004
Ｂｅｓｔ−Ｍ方式において、フィードバックデータは、ベストバンドのＣＱＩ（ＢＢ  ＣＱＩ）及び全体バンドのＣＱＩ（ＷＢ  ＣＱＩ）を含むことができる。フィードバックデータは、ベストバンドのＰＭＩ（ＢＢ  ＰＭＩ）及び全体バンドのＰＭＩ（ＷＢ  ＰＭＩ）を含むことができる。ベストバンドのＣＱＩは、ベストバンドに該当するサブバンドの各々のＣＱＩまたはベストバンドに対する一つの平均ＣＱＩになってもよい。全体バンドのＣＱＩは、全体バンドの平均ＣＱＩになってもよい。ベストバンドのＰＭＩは、ベストバンドに該当するサブバンドの各々のＰＭＩまたはベストバンドに対する一つのＰＭＩになってもよい。
【００６８】
類型‘Ｃ’において、ＣＱＩは、第１のベストバンド（ＢＢ＃１）のＣＱＩ、第２のベストバンド（ＢＢ＃２）のＣＱＩ及び全体バンドのＣＱＩで、ＰＭＩは第１のベストバンド（ＢＢ＃１）のＰＭＩ、第２のベストバンド（ＢＢ＃２）のＰＭＩ及び全体バンドのＰＭＩである。
【００６９】
類型‘Ｄ’において、ＣＱＩは、第１のベストバンド（ＢＢ＃１）と第２のベストバンド（ＢＢ＃２）の平均ＣＱＩ及び全体バンドのＣＱＩで、ＰＭＩは第１のベストバンド（ＢＢ＃１）のＰＭＩ、第２のベストバンド（ＢＢ＃２）のＰＭＩ及び全体バンドのＰＭＩである。
【００７０】
類型‘Ｃ−１’において、ＣＱＩは、第１のベストバンド（ＢＢ＃１）のＣＱＩ、第２のベストバンド（ＢＢ＃２）のＣＱＩで、ＰＭＩはベストバンドに対する一つのＰＭＩ及び全体バンドのＰＭＩである。
【００７１】
類型‘Ｄ−１’において、ＣＱＩは、第１のベストバンド（ＢＢ＃１）と第２のベストバンド（ＢＢ＃２）との平均ＣＱＩ及び全体バンドのＣＱＩであり、ＰＭＩは、ベストバンドに対する一つのＰＭＩ及び全体バンドのＰＭＩである。端末は、複数のサブバンドからＭ個のサブバンドを選択して、選択されたＭ個のサブバンド（ベストバンド）に対する一つのＰＭＩ及び一つのＣＱＩを基地局に報告する。ここで、選択されたＭ個のサブバンドに対する一つのＰＭＩは、選択されたＭ個のサブバンドを介する伝送に使われるコードブックセットから選択される一つのプリコーディング行列のインデックスを指示する。選択されたＭ個のサブバンドに対する一つのＣＱＩは、選択されたＭ個のサブバンドに使われるプリコーディング行列を適用する。選択されたＭ個のサブバンドに対するＣＱＩ値として全体バンドＣＱＩに対する差分値が使われることができる。端末は、複数のサブバンドを含む全体バンドに対する全体バンドＰＭＩ及び全体バンドＣＱＩを基地局に報告する。全体バンドＰＭＩは、複数のサブバンド全体に対するコードブックから選択されるプリコーディング行列のインデックスを指示する。全体バンドＣＱＩは、複数のサブバンド全体に対するＣＱＩ値を指示する。
【００７２】
表１及び表２の制御信号類型は、複合的に使われることができる。例えば、フィードバックデータは、ベストバンドの平均ＣＱＩと全体バンドのＣＱＩとを伝送して、ＰＭＩは、ベストバンドのＰＭＩ及び残りのバンドのＰＭＩを伝送伝送してもよい。
【００７３】
全体バンドに対するＰＭＩまたは残りのバンドに対するＰＭＩを伝送する技法をＰＭＩ圧縮技法という。
【００７４】
前述した通り、ＣＱＩがサブバンドに対して求められて伝送されれば、同じサブバンドに対してＰＭＩが求められて伝送され、ＣＱＩが残りのバンドまたは全体バンドに対して一つのＣＱＩが求められて伝送されれば、前記残りのバンドまたは全体バンドに対して一つのＰＭＩが求められて伝送される。端末が、ＣＱＩとＰＭＩを同じグラニュラリティ（ｇｒａｎｕｌａｒｉｔｙ）に対する値で伝送することによってフィードバックデータによるオーバーヘッドを減らすことができる。
【００７５】
これは例示に過ぎず、制限することではない。例えば、全体バンドのＣＱＩまたは残りのバンドのＣＱＩは伝送されなく、ベストバンドのＣＱＩだけ伝送されることができ、これに伴いＰＭＩもベストバンドのＰＭＩだけ伝送されることができる。
【００７６】
下記の表３は、フィードバックデータの類型に対する他の例を表す。サブバンドに対するＣＱＩ及びＰＭＩだけを伝送する場合である。
【００７７】
【表３】
2010534442.tif 000005
類型‘Ｅ’において、ＣＱＩは、第１のベストバンド（ＢＢ＃１）のＣＱＩ及び第２のベストバンド（ＢＢ＃２）のＣＱＩである。ＰＭＩは、各ＳＢ  ＰＭＩの全部または全体バンドのＰＭＩである。
【００７８】
類型‘Ｆ’において、ＣＱＩは、第１のベストバンド（ＢＢ＃１）のＣＱＩ及び第２のベストバンド（ＢＢ＃２）のＣＱＩである。ＰＭＩは、第１のベストバンド（ＢＢ＃１）のＰＭＩ及び第２のベストバンド（ＢＢ＃２）のＰＭＩである。
【００７９】
類型‘Ｇ’において、ＣＱＩは、第１のベストバンド（ＢＢ＃１）のＣＱＩ及び第２のベストバンド（ＢＢ＃２）のＣＱＩである。ＰＭＩは、第１のベストバンド（ＢＢ＃１）及び第２のベストバンド（ＢＢ＃２）に対する一つのＰＭＩである。
【００８０】
類型‘Ｈ’において、ＣＱＩは、第１のベストバンド（ＢＢ＃１）及び第２のベストバンド（ＢＢ＃２）とに対する平均ＣＱＩである。ＰＭＩは、第１のベストバンド（ＢＢ＃１）及び第２のベストバンド（ＢＢ＃２）とに対する一つのＰＭＩである。
【００８１】
下記の表４は、フィードバックデータの類型に対する他の例を表す。全体バンドに対するＣＱＩ及びＰＭＩだけを伝送する場合である。
【００８２】
【表４】
2010534442.tif 000006
全体バンドに対するＣＱＩ及びＰＭＩを伝送するため、ビットマップ情報が必要ない。
【００８３】
類型‘Ｉ’において、ＣＱＩは、全体バンドのＣＱＩであり、ＰＭＩは、全体バンドに対するＰＭＩである。類型‘Ｊ’において、ランク情報が与えられず、ＣＱＩは、全体バンドのＣＱＩになり、ＰＭＩは、全体バンドに対するＰＭＩになる。
【００８４】
一方、フィードバックデータの類型に応じてＰＭＩバンドの範囲（ｇｒａｎｕｌａｒｉｔｙ）は、多様に決められることができる。
【００８５】
ＰＭＩバンドは、サブバンドと同じ範囲（ｇｒａｎｕｌａｒｉｔｙ）を有する、或いはサブバンドより大きくて全体バンドより小さい範囲を有することができる。ＰＭＩバンドの範囲は、可変的であってもよい。ＰＭＩの範囲（ｇｒａｎｕｌａｒｉｔｙ）は、下記の通り決められることができる。
【００８６】
（１）最小ＰＭＩバンド（Ｓｍａｌｌｅｓｔ  ＰＭＩ  Ｂａｎｄ；Ｓ−ＰＢ）
ＰＭＩバンド（ＰＢ）は、サブバンドと同じ範囲（ＰＢ＝ＳＢ）：（ａ）ＰＭＩバンドの範囲は、Ｍ個のＣＱＩのためのサブバンドと同じ範囲と決められることができる。
【００８７】
（２）中間ＰＭＩバンド（Ｍｉｄｄｌｅ  ＰＭＩ  Ｂａｎｄ；Ｍ−ＰＢ）
ＰＭＩバンド（ＰＢ）は、サブバンドより整数（ｉｎｔｅｇｒａｌ  ｎｕｍｂｅｒ）倍ほど大きい範囲（ＳＢ＜ＰＢ＜ＷＢ）：（ａ）ＰＭＩバンドの範囲は、Ｍ個のＣＱＩのためのサブバンドの連続されたサブバンドの大きさと決められることができる。（ｂ）Ｍ個の平均ＣＱＩが伝送される時、Ｍ個のサブバンドがＰＭＩバンドとして決められることができる。（ｃ）Ｎ個のサブバンドから選択されないバンド（Ｎｏｎ−ｓｅｌｅｃｔｅｄ  Ｂａｎｄ）である（Ｎ−Ｍ）個のサブバンドがＰＭＩバンドとして決められることができる。
【００８８】
（３）最大ＰＭＩバンド（Ｌａｒｇｅｓｔ  ＰＭＩ  Ｂａｎｄ；Ｌ−ＰＢ）
ＰＭＩバンド（ＰＢ）は、全体バンドと同じ範囲（ＰＢ＝ＷＢ）：（ａ）ＰＭＩバンドの範囲は、全体バンドと同じ範囲と決められることができる。
【００８９】
以下、フィードバックデータの報告類型にともなうＰＭＩバンドの範囲に対して説明する。
【００９０】
フィードバックデータの報告類型が表１の‘Ａ’または‘Ｂ’である場合、サブバンドＣＱＩのためのＰＭＩバンドの範囲は、Ｓ−ＰＢ、Ｍ−ＰＢ（ａ）またはＭ−ＰＢ（ｂ）になることができ、残りのバンド（ＲＢ）のＣＱＩのためのＰＭＩバンドの範囲は、Ｍ−ＰＢ（ｃ）になることができる。
【００９１】
フィードバックデータの報告類型が表２の‘Ｃ’または‘Ｄ’である場合、サブバンドＣＱＩのためのＰＭＩバンドの範囲は、Ｓ−ＰＢ、Ｍ−ＰＢ（ａ）またはＭ−ＰＢ（ｂ）になることができて、全体バンドのＣＱＩのためのＰＭＩバンドの範囲はＭ−ＰＢ（ｃ）またはＬ−ＰＢになることができる。また、選択されるバンドの数Ｍが全体サブバンドの数Ｎと同一な時、サブバンドＣＱＩのためのＰＭＩバンドの範囲はＳ−ＰＢになることができて、全体バンドの平均ＣＱＩのためのＰＭＩバンドの範囲はＬ−ＰＢになることができる。
【００９２】
フィードバックデータの報告類型が表３の‘Ｅ’、‘Ｆ’、‘Ｇ’または‘Ｈ’である場合、サブバンドＣＱＩのためのＰＭＩバンドの範囲は、Ｓ−ＰＢ、Ｍ−ＰＢ（ａ）またはＭ−ＰＢ（ｂ）になることができ、全体バンドに対するＰＭＩバンドの範囲は、Ｍ−ＰＢ（ｃ）またはＬ−ＰＢになることができる。
【００９３】
フィードバックデータの報告類型が表４の‘Ｉ’または‘Ｊ’である場合、全体バンドに対するＣＱＩのためのＰＭＩバンドの範囲は、Ｌ−ＰＢになることができる。
【００９４】
図１０ないし図１２は、本発明の一実施例に係るフィードバックデータの伝送方法を示す例示図である。図１０は、全体バンドＰＭＩを伝送する場合であり、図１１は、ＣＱＩ  ＦＧより大きいＰＭＩ  ＦＧに対するＰＭＩを伝送する場合であり、図１２は、ＣＱＩ  ＦＧと同じ大きさのＰＭＩ  ＦＧに対するＰＭＩを伝送する場合である。
【００９５】
図１０ないし図１２を参照すると、全体バンドに対して一つのＰＭＩを伝送する場合、アップリンクオーバーヘッドを減らすことができる。このとき、ＣＱＩは、ベストバンド（＃１、＃２）ＣＱＩ及び全体バンドＣＱＩが伝送される、或いはベストバンドＣＱＩ及び残りのバンドＣＱＩが伝送されることができる。
【００９６】
ＰＭＩ  ＦＧがＣＱＩ  ＦＧより２倍大きいである場合、ＣＱＩレベルの高いベストバンド（＃１、＃２）に対して一つのＰＭＩ（ＰＭＩ＃Ａ）を伝送して、残りのバンド（＃３ないし＃５）に対して２個のＰＭＩ（ＰＭＩ＃Ｃ、＃Ｆ）を伝送することができる。全体バンドＰＭＩを伝送する場合であるが、ＰＭＩ  ＦＧの大きさをＣＱＩ  ＦＧより大きく設定してアップリンクオーバーヘッドを減らすことができる。ＰＭＩを４ビットで表現する時、ＰＭＩ伝送のために１２ビットの資源を使用する。このとき、ＣＱＩは、ベストバンド（＃１、＃２）ＣＱＩ及び全体バンドのＣＱＩが伝送される、或いはベストバンドＣＱＩ及び残りのバンドＣＱＩが伝送されることができる。
【００９７】
ＰＭＩ  ＦＧとＣＱＩ  ＦＧが同じ大きさである時、ベストバンド（＃１、＃２）の各々のＰＭＩ（ＰＭＩ＃Ａ、ＰＭＩ＃Ｂ）と残りのバンド（＃３ないし＃５）の各々のＰＭＩ（ＰＭＩ＃Ｃないし＃Ｆ）とを伝送することができる。データ歩留まりを高めることはできるが、アップリンクオーバーヘッドが大きく増加することができる。ＰＭＩを４ビットで表現する場合、６個のＰＭＩを伝送するために２４ビットの資源を使用する。このとき、ＣＱＩは、ベストバンド（＃１、＃２）ＣＱＩ及び全体バンドＣＱＩが伝送される、或いはベストバンドＣＱＩ及び残りのバンドＣＱＩが伝送されることができる。
【００９８】
以上、フィードバックデータの生成のためのサブバンドの数、ベストバンドの数は多様に変更されることができ、ＰＭＩバンドの数及び大きさも多様に変更されることができる。また、ベストバンドのＰＭＩと全体バンドのＰＭＩを伝送する、或いは複数のベストバンドのうち一部ベストバンドに対するＰＭＩだけを伝送することのように多様な方法によってＰＭＩを伝送することができる。
【００９９】
以下、前帯域に対する全てのＰＭＩを伝送する代わりに一部サブバンド、即ち、ベストバンドに対するＰＭＩを伝送する方法に対して説明する。
【０１００】
図１３及び図１４は、本発明の他の実施例に係るフィードバックデータの伝送方法を示す例示図である。ＰＭＩ  ＦＧの大きさがＣＱＩ  ＦＧより大きい場合（ＰＭＩ  ＦＧ＝Ｎ×ＣＱＩ  ＦＧ（Ｎ＞１））である。
【０１０１】
図１３及び図１４を参照すると、ＣＱＩの高いベストバンドのＰＭＩを伝送して、必要によって追加的に残りのバンドのＰＭＩを伝送することができる。これをベストバンドＰＭＩ技法という。ベストバンドに該当する各ＰＭＩバンドのＰＭＩを伝送して、残りのバンドのＰＭＩまたは全体バンドのＰＭＩを伝送することができる。端末の伝送すべきＰＭＩの数は、ベストバンドの数及びＣＱＩ  ＦＧに対するＰＭＩ  ＦＧの比率に応じて決定されることができる。
【０１０２】
ＰＭＩ  ＦＧがＣＱＩ  ＦＧの２倍の大きさであり、ベストバンドとして２個のサブバンドが選択されると仮定する（Ｍ＝２）。図１３において、選択されたベストバンドが一つのＰＭＩ  ＦＧに属する。端末の伝送すべきＰＭＩの数は、一つである。図１４において、選択された２個のベストバンドが相異なるＰＭＩ  ＦＧに属する。端末の伝送すべきＰＭＩの数は、２個である。端末は、ベストバンドに該当するＰＭＩバンドのＰＭＩ（１）のように全体バンドのＰＭＩ（２）を伝送する、或いは残りのバンドのＰＭＩ（３）を伝送することができる。
【０１０３】
図１５及び図１６は、本発明の他の実施例に係るフィードバックデータの伝送方法を示す例示図である。ＰＭＩ  ＦＧとＣＱＩ  ＦＧが同じ大きさを有する場合である。
【０１０４】
図１５及び図１６を参照すると、ＰＭＩ  ＦＧとＣＱＩ  ＦＧが同じ大きさである場合、一つのＣＱＩ当たり一つのＰＭＩが割り当てられる。Ｂｅｓｔ−Ｍ方式でＣＱＩ及びＰＭＩを報告する場合、一つのビットマップでＣＱＩとＰＭＩとを指示することができる。端末は、ベストバンドに該当するＰＭＩ（１）と共に全体バンドのＰＭＩ（２）を伝送する、或いは残りのバンドのＰＭＩ（３）を伝送することができる。
【０１０５】
ベストバンドのＰＭＩと全体バンドまたは残りのバンドに対するＰＭＩとを同時に伝送する時、各ＰＭＩが適用されるバンドは、報告されたＣＱＩを介して分かる。例えば、端末は、Ｍ個のベストバンドを選択してベストバンドＣＱＩを報告する時、ベストバンドのＰＭＩも共に報告することができる。このとき、ＣＱＩの報告においてベストバンドを表すインデックスは、ＰＭＩの報告でも同一に適用されることができる。
【０１０６】
相異なる大きさを有するＰＭＩ  ＦＧとＣＱＩ  ＦＧが適用される時にもベストバンドを表すインデックスを介して報告されたＰＭＩが適用されるバンドが分かる。端末の伝送する制御信号は、（ＣＱＩ１，…，ＣＱＩＭ，ＣＱＩＡｖｅｒａｇｅ，ＢｉｔＭａｐ，ＰＭＩ１，…，ＰＭＩＬ，ＰＭＩＡｖｅｒａｇｅ（Ｍ＞Ｌ））のように報告されることができる。平均ＰＭＩ（ＰＭＩＡｖｅｒａｇｅ）を報告される領域の家長最後に位置させれば、平均ＰＭＩを除いた残りのＰＭＩ情報は、順序にベストバンドに該当するＰＭＩ情報になる。
【０１０７】
ここでＣＱＩ１，…，ＣＱＩＭ，ＣＱＩＡｖｅｒａｇｅ，ＢｉｔＭａｐは、Ｂｅｓｔ−Ｍ方式のＣＱＩ圧縮（ｃｏｍｐｒｅｓｓｉｏｎ）を考慮した表現であり、ＰＭＩ圧縮技法は、どんなＣＱＩ圧縮技法とも共に使われることができる。例えば、端末が各サブバンドのＣＱＩ情報をＤＣＴで圧縮して伝送した場合、基地局は、圧縮情報を介して各サブバンドのＣＱＩが分かる。これを介してベストバンドの位置が分かり、そのサブバンドの位置がベストバンドＰＭＩの適用される位置になる。
【０１０８】
図１７ないし図２０は、本発明の他の実施例に係るフィードバックデータの伝送方法を示す例示図である。ＰＭＩ  ＦＧがＣＱＩ  ＦＧより２倍大きく、ＣＱＩの良いベストバンドを２個選択（Ｍ＝２）する場合である。
【０１０９】
図１７ないし図２０を参照すると、図１７において、ベストバンド（＃１、＃２）が一つのＰＭＩ  ＦＧに含まれる場合、端末は、ベストバンドに該当する一つのＰＭＩ（ＰＭＩ＃Ａ）と全体バンドに対するＰＭＩ（ＰＭＩ＃Ｇ）とを伝送する。このとき、端末は、ベストバンド（＃１、＃２）のＣＱＩ及び全体バンドの平均ＣＱＩを伝送することができる。
【０１１０】
図１８において、ベストバンド（＃１、＃２）が一つのＰＭＩ  ＦＧに含まれる場合、端末は、ベストバンドに対する一つのＰＭＩ（ＰＭＩ＃Ａ）と残りのバンドのＰＭＩ（ＰＭＩ＃Ｈ）とを伝送する。このとき、端末は、ベストバンド（＃１、＃２）のＣＱＩ及び残りのバンドのＣＱＩを伝送することができる。
【０１１１】
図１９において、ベストバンド（＃１、＃３）が相異なるＰＭＩ  ＦＧに含まれる場合、端末は、各ＰＭＩ  ＦＧに対するＰＭＩ（ＰＭＩ＃Ａ、ＰＭＩ＃Ｃ）及び全体バンドに対するＰＭＩ（ＰＭＩ＃Ｇ）を伝送する。このとき、端末は、ベストバンド（＃１、＃３）のＣＱＩ及び全体バンドの平均ＣＱＩを伝送することができる。
【０１１２】
図２０において、ベストバンド（＃１、＃３）が相異なるＰＭＩ  ＦＧに含まれる場合、端末は、各ＰＭＩ  ＦＧに対するＰＭＩ（ＰＭＩ＃Ａ、ＰＭＩ＃Ｃ）及び残りのバンドに対するＰＭＩ（ＰＭＩ＃Ｈ）を伝送する。このとき、端末は、ベストバンド（＃１、＃３）のＣＱＩ及び残りのバンドのＣＱＩを伝送することができる。
【０１１３】
図２１ないし図２４は、本発明の他の実施例に係るフィードバックデータの伝送方法を示す例示図である。ＰＭＩ  ＦＧがＣＱＩ  ＦＧと同じ大きさであり、ＣＱＩの高いベストバンドを２個選択（Ｍ＝２）する場合である。
【０１１４】
図２１ないし図２４を参照すると、図２１において、端末は、ベストバンド（＃１、＃２）の各々のＰＭＩ（ＰＭＩ＃Ａ、ＰＭＩ＃Ｂ）及び全体バンドに対するＰＭＩ（ＰＭＩ＃Ｇ）を伝送する。このとき、端末は、ベストバンド（＃１、＃２）のＣＱＩ及び全体バンドの平均ＣＱＩを伝送することができる。
【０１１５】
図２２において、端末は、ベストバンド（＃１、＃２）の各々のＰＭＩ（ＰＭＩ＃Ａ、ＰＭＩ＃Ｂ）及び残りのバンドに対するＰＭＩ（ＰＭＩ＃Ｈ）を伝送する。このとき、端末は、ベストバンド（＃１、＃２）のＣＱＩ及び残りのバンドのＣＱＩを伝送することができる。
【０１１６】
図２３において、選択されるベストバンドが隣接しない場合にもＰＭＩ  ＦＧとＣＱＩ  ＦＧが同じ大きさを有するため、端末は、ベストバンド（＃１、＃３）の各々のＰＭＩ（ＰＭＩ＃Ａ、ＰＭＩ＃Ｃ）及び残りのバンドに対するＰＭＩ（ＰＭＩ＃Ｈ）を伝送することができる。このとき、端末は、ベストバンド（＃１、＃３）のＣＱＩ及び残りのバンドのＣＱＩを伝送することができる。
【０１１７】
図２４において、選択されるベストバンドが隣接しない場合、端末は、ベストバンド（＃１、＃３）の各々のＰＭＩ（ＰＭＩ＃Ａ、ＰＭＩ＃Ｃ）及び全体バンドに対するＰＭＩ（ＰＭＩ＃Ｇ）を伝送することができる。このとき、端末は、ベストバンド（＃１、＃３）のＣＱＩ及び全体バンドのＣＱＩを伝送することができる。
【０１１８】
ベストバンドＰＭＩ及び全体バンドＰＭＩを伝送する、或いはベストバンドＰＭＩ及び残りのバンドＰＭＩを伝送する場合には、下記のような利得を得ることができる。
【０１１９】
１．  ＣＱＩ  ＦＧとＰＭＩ  ＦＧが同じ大きさである場合、ＰＭＩの適用される範囲とＣＱＩの適用される範囲が同一であるため、ＰＭＩとＣＱＩを容易にマッピングすることができる。
【０１２０】
２．ＣＱＩ  ＦＧとＰＭＩ  ＦＧが相異なる大きさを有する場合、（１）ＰＭＩ  ＦＧとＣＱＩ  ＦＧが倍数関係を有する時が、ＰＭＩ  ＦＧとＣＱＩ  ＦＧが互いに素の関係である時よりＰＭＩとＣＱＩを容易にマッピングすることができる。（２）ＰＭＩ  ＦＧがＣＱＩ  ＦＧより大きく倍数関係の場合、ＰＭＩ圧縮技法とＣＱＩ圧縮技術を共に適用しやすい。即ち、ベストバンドＰＭＩを伝送する方式とベストバンドＣＱＩを伝送する方式を容易に適用することができる。（３）一部ＰＭＩを伝送しようとする場合、どんなサブバンドのＰＭＩであるか知らせる必要がある。例えば、ビットマップを使用して選択されたサブバンドを知らせることができる。またはＢｅｓｔ−Ｍ  ＣＱＩが適用されるサブバンドのＰＭＩである場合にはＣＱＩのベストバンドの位置を知らせる情報を探してＰＭＩを適用することができる。
【０１２１】
図２５ないし図２７は、本発明の他の実施例に係るフィードバックデータの伝送方法を示す例示図である。
【０１２２】
図２５ないし図２７を参照すると、ＰＭＩ  ＦＧをＣＱＩ  ＦＧより大きく設定して、ベストバンドが隣接して一つのＰＭＩ  ＦＧに含まれるように選択してＣＱＩ及びＰＭＩを伝送することができる。
【０１２３】
一つのＰＭＩ  ＦＧにベストバンドが隣接して含まれるようにするために、（１）チャネル状態の良いサブバンドが含まれるＰＭＩバンドを求める。ＰＭＩバンドには少なくとも一つのサブバンドが含まれて、少なくとも一つのＣＱＩバンドが含まれる。（２）選択されたＰＭＩバンド内からＭ個のベストバンドを選択する。ベストバンドは、少なくとも一つのサブバンドを含むＣＱＩバンドである。（３）一つのＰＭＩ  ＦＧ内から選択されたベストバンドのＣＱＩを求める。（４）ベストバンドのＣＱＩ及び全体バンド（または残りのバンド）のＣＱＩを伝送する。（５）ベストバンドの属するＰＭＩバンドのＰＭＩ及び全体バンド（または残りのバンド）に対するＰＭＩが伝送される。ＰＭＩは、Ｂｅｓｔ−Ｍ方式で付与されるＭに伴って決められる数ほど伝送される。報告されるＰＭＩの数（Ｎｏ．  ｏｆ    ｒｅｐｏｒｔｉｎｇ  ＰＭＩ）は、Ｍに伴って下記の通り決定されることができる。
【０１２４】
【数１】
2010534442.tif 000007
このとき、Ｎ＝ＰＭＩ  ＦＧ／ＣＱＩ  ＦＧである。ＰＭＩ  ＦＧがＣＱＩ  ＦＧの倍数と決められることができる。即ち、ＰＭＩバンドに属するサブバンドの数がベストバンド（ＣＱＩバンド）に含まれるサブバンドの数の倍数になる。Ｍは予め決められた数であってもよく、または基地局が決まって端末に知らせることができる。Ｍが決められることによって報告されるＰＭＩの数が決定されれば、端末が基地局に報告するフィードバックデータが一定の形式に決められることができる。だけでなく、ベストバンドを指示するビットマップを、ＰＭＩバンドを指示するビットマップとして再使用することができる。端末の伝送するフィードバックデータが一定の形式に決められれば、基地局は、ブラインドデコーディング（ｂｌｉｎｄ  ｄｅｃｏｄｉｎｇ）のように複雑な処理過程を避けることができるため、システムの効率を上げることができる。
【０１２５】
図２５において、任意に選択されるベストバンドに該当するＰＭＩ  ＦＧのＰＭＩ（ＰＭＩ＃Ａ、ＰＭＩ＃Ｂ）と残りのバンドのＰＭＩ（ＰＭＩ＃Ｃ）とが伝送される。ＣＱＩは、ベストバンドのＣＱＩと全体バンドのＣＱＩとが伝送される。ベストバンドのＣＱＩは、複数のベストバンドに対する平均ＣＱＩになることができ、全体バンドのＣＱＩの代わりに残りのバンドのＣＱＩが伝送されることもできる。特別なオーバーヘッドの減少はない。
【０１２６】
図２６において、隣接するベストバンドが選択され、一つのＰＭＩ  ＦＧに選択されたベストバンドが含まれる場合、ベストバンドに該当する一つのＰＭＩ（ＰＭＩ＃Ａ）と残りのバンドに対するＰＭＩ（ＰＭＩ＃Ｂ、ＰＭＩ＃Ｃ）とが伝送されることができる。ベストバンドに対するＰＭＩだけを伝送する場合にはオーバーヘッドを減らすことができる。
【０１２７】
図２７において、隣接するベストバンドが選択され、一つのＰＭＩ  ＦＧに選択されたベストバンドが含まれる場合、ベストバンドに該当する一つのＰＭＩ（ＰＭＩ＃Ａ）と残りのバンドに対するＰＭＩ（ＰＭＩ＃Ｄ）とが伝送されることができる。ＰＭＩ伝送にともなうオーバーヘッドを一層減らすことができる。このように、ＰＭＩ  ＦＧをＣＱＩ  ＦＧより大きく設定して、隣接するベストバンドが一つのＰＭＩ  ＦＧに含まれるように選択してフィードバックデータを伝送するようになれば、フィードバックデータの伝送にともなうオーバーヘッドを減らすことができる。
【０１２８】
図２８は、アップリンクＰＭＩの伝送にともなうデータ効率（ｅｆｆｉｃｉｅｎｃｙ  ｒａｔｉｏ）の一例を示すグラフである。図２９は、アップリンクＰＭＩの伝送にともなうデータ効率（ｅｆｆｉｃｉｅｎｃｙ  ｒａｔｉｏ）の他の例を示すグラフである。図２８は、４個のベストバンドを選択する場合（Ｂｅｓｔ−Ｍ方式でＭ＝４）であり、図２９は、６個のベストバンドを選択する場合（Ｂｅｓｔ−Ｍ方式でＭ＝６）である。
【０１２９】
図２８及び図２９を参照すると、（ａ）Ｓｃｈｅｍｅ１は、図２５に示したように、ＰＭＩを伝送する場合である。（ｂ）Ｓｃｈｅｍｅ２は、図２６に示したように、ＰＭＩを伝送する場合である。（ｃ）Ｓｃｈｅｍｅ３は、図２７に示したように、ＰＭＩを伝送する場合である。
【０１３０】
Ｓｃｈｅｍｅ３において、ベストバンドを隣接するように選択して一つのＰＭＩを伝送し、残りのバンドに対するＰＭＩを伝送する技法（ＰＭＩ圧縮機法）を使用する場合は、全てのＰＭＩを伝送する場合とデータ効率面においてほぼ差がない。即ち、システムの性能を維持しながら、制御信号伝送にともなうオーバーヘッドを減らすことができる。
【０１３１】
図３０は、本発明の一実施例に係るフィードバックデータの伝送過程を示すフローチャートである。
【０１３２】
図３０を参照すると、基地局は、ダウンリンクチャネルを介して端末にフィードバックデータの報告を要請する（Ｓ１１０）。フィードバックデータの報告要請は、要請メッセージを介して伝送されることができる。要請メッセージにはチャネル状態報告のためのアップリンクスケジューリング情報（ｕｐｌｉｎｋ  ｓｃｈｅｄｕｌｉｎｇ  ｉｎｆｏｒｍａｔｉｏｎ）、フレームオフセット（ｆｒａｍｅ  ｏｆｆｓｅｔ）、フィードバックデータの報告類型及びフィードバックデータの伝送周期などに関する情報が含まれることができる。アップリンクスケジューリング情報は、フィードバックデータの伝送及びアップリンク無線資源割当（ｕｐｌｉｎｋ  ｒａｄｉｏ  ｒｅｓｏｕｒｃｅ  ａｓｓｉｇｎｍｅｎｔ）を指示する。要請メッセージは、物理的ダウンリンク制御チャネル（ｐｈｙｓｉｃａｌ  ｄｏｗｎｌｉｎｋ  ｃｏｎｔｒｏｌ  ｃｈａｎｎｅｌ；ＰＤＣＣＨ）を介して伝送されることができる。
【０１３３】
端末は、フィードバックデータを生成する（Ｓ１２０）。端末は、ダウンリンク信号からチャネル情報を抽出する。チャネル情報には、チャネル状態情報（ＣＳＩ）、チャネル品質情報（ＣＱＩ）または使用者優先順位情報などが含まれることができる。端末は、チャネル情報に基づいて基地局とのチャネル環境に応じて複数のサブバンドからＭ個のサブバンドを選択する。Ｍ個のサブバンドは、複数のサブバンドから各サブバンドのＣＱＩ値に応じて選択されることができる。端末は、基地局が指定する、或いは予め定義されたフィードバックデータの報告類型に応じてフィードバックデータを生成する。例えば、フィードバックデータには周波数選択的ＰＭＩ、周波数均一ＰＭＩ、ベストバンドＣＱＩ及び全体バンドＣＱＩが含まれることができる。フィードバックデータにはビットマップ及びＲＩがさらに含まれることができる。ビットマップは、選択されたＭ個のサブバンドの位置を指示する。ＲＩは、使用することができる伝送階層の数に対応する。各伝送階層ごとにベストバンドＣＱＩ及び全体バンドＣＱＩが計算されてもよく、或いは階層に応じてＣＱＩの報告類型が変えられてもよい。
【０１３４】
端末は、アップリンクチャネルを介して基地局にフィードバックデータを報告する（Ｓ１３０）。端末は、アップリンクスケジューリング情報に従って割り当てられたアップリンク無線資源を介してフィードバックデータを伝送する。アップリンク無線資源は、物理的アップリンク共用チャネル（ｐｈｙｓｉｃａｌ  ｕｐｌｉｎｋ  ｓｈａｒｅｄ  ｃｈａｎｎｅｌ；ＰＵＳＣＨ）であってもよい。
【０１３５】
基地局は、端末から受信されたフィードバックデータを用いて無線資源スケジューリングを遂行する。一方、フィードバックデータの伝送過程でフィードバックデータにエラーが発生することがある。端末の伝送したフィードバックデータを基地局が正しく復号することができなくて周波数選択的ＰＭＩが用いられない場合が発生することがある。フィードバックデータに含まれるＰＭＩは、端末が自分のチャネル環境に最も適したＰＭＩを選択したことであり、基地局は、可能ならばフィードバックデータに含まれたＰＭＩを用いて無線資源を割り当てるのがサービス品質（Ｑｕａｌｉｔｙ  ｏｆ  Ｓｅｒｖｉｃｅ；ＱｏＳ）向上に有利である。
【０１３６】
図３１は、本発明の一実施例に係るフィードバックデータのエラー如何に従ってＰＭＩを選択する方法を示すフローチャートである。端末がＢｅｓｔ−Ｍ方式を適用してサブバンドＰＭＩ（ＳＢ  ＰＭＩ）と、全体バンドＰＭＩ（ＷＢ  ＰＭＩ）または残りのバンドＰＭＩ（ＲＢ  ＰＭＩ）と、をフィードバックデータに含ませて基地局に伝送したと仮定する。
【０１３７】
図３１を参照すると、基地局は、端末からフィードバックデータを受信する（Ｓ２１０）。フィードバックデータにはＢｅｓｔ−Ｍ方式に従って選択されたベストバンドを表すビットマップ、ベストバンドに該当するサブバンドＰＭＩと共に、残りのバンドまたは全体バンドのＰＭＩが含まれることができる。
【０１３８】
基地局は、端末が伝送したフィードバックデータからビットマップのエラー如何を判別する（Ｓ２２０）。フィードバックデータは、端末から基地局に伝送される過程で雑音やフェーディング（ｆａｄｉｎｇ）によって正しく復号されない場合がある。
【０１３９】
ビットマップにエラーがない場合、基地局は、端末が伝送したサブバンドＰＭＩを適用する（Ｓ２３０）。即ち、基地局は、端末が選択したベストバンドのうち少なくとも一つのサブバンドを端末に割り当てて、割り当てられたサブバンドに対するＰＭＩに端末が伝送したサブバンドＰＭＩを適用する。
【０１４０】
ビットマップにエラーがある場合、基地局は、全体バンドＰＭＩまたは残りのバンドＰＭＩを適用する（Ｓ２４０）。基地局は、ビットマップエラーによってベストバンドが分からないため、端末が伝送したサブバンドＰＭＩを用いることができない。基地局は、端末が伝送した全体バンドＰＭＩまたは残りのバンドＰＭＩに基づいて、端末に無線資源を割り当てる。基地局は、端末に無線資源割当に対する情報と共に使用するＰＭＩをダウンリンク制御信号によって知らせる。
【０１４１】
基地局は、フィードバックデータのエラー如何に従って無線資源に適用するＰＭＩを適応的に選択することができるため、無線通信サービス品質を向上させることができる。
【０１４２】
前述した全ての機能は、前記機能を遂行するようにコーディングされたソフトウェアやプログラムコードなどにともなうマイクロプロセッサ、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサによって遂行されることができる。前記コードの設計、開発及び具現は、本発明の説明に基づいて当業者に自明である。
【０１４３】
以上、本発明に対して実施例を参照して説明したが、該当技術分野の通常の知識を有する者は、本発明の技術的思想及び領域から外れない範囲内で本発明を多様に修正及び変更させて実施することができることを理解することができる。従って、前述した実施例に限定することではなく、本発明は、特許請求の範囲内の全ての実施例を含む。
【符号の説明】
【０１４４】
１０  基地局
３０  端末
１００  送信機
１１０  スケジューラ
１２０−１，．．．，１２０−Ｋ  チャネルエンコーダ
１３０−１，．．．，１３０−Ｋ  マッパ
１４０−１，．．．，１４０−Ｋ  前処理器
１５０  多重化器
１９０−１，．．．，１９０−Ｎｔ  送信アンテナ
２００  受信機
２１０  復調器
２２０  チャネル推定器
２３０  後処理器
２４０  デマッパ
２５０  チャネルデコーダ
２６０  制御器
２９０−１，．．．，２９０−Ｎｒ  受信アンテナ
【図１】
2010534442.tif 000008
【図２】
2010534442.tif 000009
【図３】
2010534442.tif 000010
【図４】
2010534442.tif 000011
【図５】
2010534442.tif 000012
【図６】
2010534442.tif 000013
【図７】
2010534442.tif 000014
【図８】
2010534442.tif 000015
【図９】
2010534442.tif 000016
【図１０】
2010534442.tif 000017
【図１１】
2010534442.tif 000018
【図１２】
2010534442.tif 000019
【図１３】
2010534442.tif 000020
【図１４】
2010534442.tif 000021
【図１５】
2010534442.tif 000022
【図１６】
2010534442.tif 000023
【図１７】
2010534442.tif 000024
【図１８】
2010534442.tif 000025
【図１９】
2010534442.tif 000026
【図２０】
2010534442.tif 000027
【図２１】
2010534442.tif 000028
【図２２】
2010534442.tif 000029
【図２３】
2010534442.tif 000030
【図２４】
2010534442.tif 000031
【図２５】
2010534442.tif 000032
【図２６】
2010534442.tif 000033
【図２７】
2010534442.tif 000034
【図２８】
2010534442.tif 000035
【図２９】
2010534442.tif 000036
【図３０】
2010534442.tif 000037
【図３１】
2010534442.tif 000038
【国際調査報告】
2010534442.tif 000039
2010534442.tif 000040